(57)【特許請求の範囲】
【請求項１】
所定エリア内に存在する店舗をユーザに提示するナビゲーション装置であって、
ユーザ個人の携帯通信端末に保存された店舗が提供する商品やサービスの価格を変動させるユーザ個人の会員証、クレジットカード、割引券又はクーポン券を含む価格変動情報によって価格を変動させるとともに、前記価格変動情報によって変動された価格に基づいて、ユーザに提示する店舗を判定する判定手段を備える、ナビゲーション装置。
【請求項２】
前記判定手段は、前記会員証又はクレジットカードを含む価格変動情報と、前記会員証又はクレジットカードが利用可能な店舗と、前記会員証又はクレジットカードの利用により適用される割引率を関連づけ、割引率によって価格を変動させる、請求項１に記載のナビゲーション装置。
【請求項３】
前記ユーザの携帯通信端末は、インターネットから前記価格変動情報を取得する、請求項２に記載のナビゲーション装置。
【請求項４】
所定エリア内に存在する店舗をユーザに提示するナビゲーション装置のナビゲーション方法であって、
前記ナビゲーション装置の判定手段が、ユーザ個人の携帯通信端末に保存された店舗が提供する商品やサービスの価格を変動させるユーザ個人の会員証、クレジットカード、割引券又はクーポン券を含む価格変動情報によって価格を変動させるとともに、前記価格変動情報によって変動された価格に基づいて、ユーザに提示する店舗を判定する判定ステップを備える、ナビゲーション方法。
【請求項５】
前記判定ステップでは、前記判定手段が、前記会員証又はクレジットカードを含む価格変動情報と、前記会員証又はクレジットカードが利用可能な店舗と、前記会員証又はクレジットカードの利用により適用される割引率を関連づけ、割引率によって価格を変動させる、請求項４に記載のナビゲーション方法。
【請求項６】
前記ユーザの携帯通信端末は、インターネットから前記価格変動情報を取得する、請求項５に記載のナビゲーション方法。
【請求項７】
コンピュータに、所定エリア内に存在する店舗をユーザに提示させるナビゲーションプログラムであって、
コンピュータを、
ユーザ個人の携帯通信端末に保存された店舗が提供する商品やサービスの価格を変動させるユーザ個人の会員証、クレジットカード、割引券又はクーポン券を含む価格変動情報によって価格を変動させるとともに、前記価格変動情報によって変動された価格に基づいて、ユーザに提示する店舗を判定する判定手段
として機能させるためのナビゲーションプログラム。
【請求項８】
前記判定手段は、前記会員証又はクレジットカードを含む価格変動情報と、前記会員証又はクレジットカードが利用可能な店舗と、前記会員証又はクレジットカードの利用により適用される割引率を関連づけ、割引率によって価格を変動させる、請求項７に記載のナビゲーションプログラム。
【請求項９】
前記ユーザの携帯通信端末は、インターネットから前記価格変動情報を取得する、請求項８に記載のナビゲーションプログラム。
【請求項１０】
所定エリア内に存在する店舗をユーザに提示する携帯通信端末であって、
店舗が提供する商品やサービスの価格を変動させるユーザ個人の会員証、クレジットカード、割引券又はクーポン券を含む価格変動情報をネットワークから取得し、
ネットワークから取得した前記価格変動情報によって価格を変動させるとともに、前記価格変動情報によって変動された価格に基づいて、ユーザに提示する店舗を判定する判定手段を備える、携帯通信端末。
【請求項１１】
ネットワークに接続可能な携帯通信端末であって、
所定エリア内に存在する店舗が提供する商品やサービスの価格を変動させるユーザ個人の会員証、クレジットカード、割引券又はクーポン券を含む価格変動情報を記憶する情報記憶部を備え、
前記情報記憶部に記憶された前記価格変動情報によって価格を変動させるとともに、前記価格変動情報によって変動された価格に基づいて、前記携帯通信端末をユーザに提示する店舗を判定する判定手段として機能させるためのナビゲーションプログラムをネットワークから取得し、当該ナビゲーションプラグラムを実行して、前記判定手段として機能させる、携帯通信端末。
【請求項１２】
店舗情報と割引情報とが互いに関連づけられた会員情報を記憶する情報記憶部と、
店舗が提供する商品やサービスの価格を変動させるユーザ個人の会員証、クレジットカード、割引券又はクーポン券を含む価格変動情報によって価格を変動させるとともに、前記情報記憶部に記憶された会員情報と、前記価格変動情報によって変動された価格とに基づいて、ユーザに提示する店舗を判定する判定手段として、コンピュータを機能させるためのナビゲーションプログラムを、前記コンピュータに対して送る通信手段とを備え、
前記通信手段は、前記ナビゲーションプラグラムを送る際、併せて、前記会員情報をコンピュータに送る、情報センターサーバ。
【発明の詳細な説明】
【技術分野】
【０００１】
本発明は、ユーザに対して店舗情報を提供するナビゲーション装置、ナビゲーション方法、ナビゲーションプログラム、携帯通信端末および情報センターサーバに関するものである。
【背景技術】
【０００２】
従来より、所定のエリア内にある店舗に関する情報（いわゆる店舗情報）を、内部の記憶デバイスから、または情報センターから通信により取得して、運転者や乗員に提供する車両用のナビゲーション装置が知られている。このようなナビゲーション装置においては、店舗情報を参照して、店舗で取り扱っている商品やサービスの価格を比較することで、複数の店舗の中から価格の安い店舗を優先的に提示する技術も知られている。なお、下記特許文献１には、クーポンやポイントを利用できる店舗を提示するナビゲーション装置が開示されている。
【先行技術文献】
【特許文献】
【０００３】
【特許文献１】特開２００６−１８４０３０号公報
【特許文献２】特開２００１−３３０４６２号公報
【特許文献３】特開平１０−８９９９２号公報
【特許文献４】特開平２００５−１７１９４号公報
【特許文献５】特開２００２−７３６６８号公報
【発明の概要】
【発明が解決しようとする課題】
【０００４】
上述した従来のナビゲーション装置は、内部記憶デバイスに予め記憶されている店舗情報または情報センターに予め記憶されている店舗情報のみを用いて、商品やサービスの価格比較をおこなうため、ユーザが所有するクーポンやポイントの情報は考慮されない。したがって、クーポンやポイントを考慮した実際に最安価な店舗が優先的に提示されない虞がある。
【０００５】
ここで、上記特許文献３は、登録画面により、予め操作者に消耗する特定の銘柄およびその優先順位を登録させ、燃料残量が所定量よりすくない場合には、現在位置周辺の登録された特定銘柄のガソリンスタンドを示すランドマークを優先順位に応じて強調して表示する。経路誘導中には、燃料残量及び平均車速から走行可能距離を算出し、その経路上で到達可能な最も遠い特定銘柄のガソリンスタンドを表示・通知する。また、上記特許文献４は、安いガソリンスタンドの決定は、価格データベースにある価格により安く給油できるガソリンスタンドへ案内する。しかしながら、これらの発明により表示・通知および案内されるガソリンスタンドがユーザにとって最も安くガソリンを入れられる優先順位で案内されるとは限らない。
【０００６】
上記特許文献５は、情報センターから移動端末に情報を提供するシステムであって、移動体の現在位置に基づいて施設情報を提供するだけでなく、ユーザの識別データに基づいてそのユーザに有用な施設情報を提供することで、情報の価値を高め、移動するユーザに適切なタイミングで施設情報を与えることができる。しかしながら、ユーザ毎の有用な情報を情報センターが必ずしも保持しているとは限らない。
【０００７】
最も安いガソリンスタンドを案内できない理由は、ユーザが登録画面により所望する特定銘柄およびその優先順位で登録したときと、実際にガソリンスタンドを利用するときには、時間差があり、利用時に本当に最も安いガソリンスタンドであるかどうか不明なためである。また、ナビに備え付けられているデータベース作成時と、実際にガソリンスタンドを利用する時には、時間差があり、利用時に本当に最も安いガソリンスタンドであるかは不明なためである。さらに、ガソリンの価格は公の情報のみを利用したものであり、個人がもつ情報を利用すればさらに安いガソリンスタンドを案内できるはずだからである。個人がもつ情報の例として、個々のユーザがもつ特定ガソリンスタンドの割引券などが挙げられる。
【０００８】
ユーザ毎の有用な情報を、情報センターが必ず保持しているとは限らない理由は、情報センターに登録したときと、ユーザがその情報を利用したいときには時間差があり、情報センターに登録されていないが、ユーザに紐付く有用な情報が存在している場合があるからである。
【０００９】
本発明は、上述の課題を解決するためになされたものであり、より適切に、ユーザ所望の店舗を提示することができるナビゲーション装置、ナビゲーション方法、ナビゲーションプログラム、携帯通信端末および情報センターサーバを提供することを目的とする。
【課題を解決するための手段】
【００１０】
本発明に係るナビゲーション装置は、所定エリア内に存在する店舗をユーザに提示するナビゲーション装置であって、店舗が提供する商品やサービスの価格を変動させるユーザ所有の価格変動情報によって変動された価格に基づいて、ユーザに提示する店舗を判定する判定手段を備える。
【００１１】
このナビゲーション装置においては、判定手段が、ユーザが所有するクーポンやポイントといった価格変動情報によって変動された価格に基づいて、ユーザに提示する店舗を判定するため、店舗判定の際に、クーポンやポイントを考慮した適切な判定がおこなわれる。したがって、ユーザ所望の店舗をより適切に提示することができる。
【００１２】
また、価格変動情報を、ユーザの携帯通信端末から受け付ける入力手段をさらに備える態様であってもよい。この場合、価格変動情報は、それが格納されたユーザの携帯通信端末から入力される。さらに、ユーザの携帯通信端末は、インターネットから価格変動情報を取得する態様であってもよい。
【００１３】
本発明に係るナビゲーション方法は、所定エリア内に存在する店舗をユーザに提示するナビゲーション方法であって、店舗が提供する商品やサービスの価格を変動させるユーザ所有の価格変動情報によって変動された価格に基づいて、ユーザに提示する店舗を判定する判定ステップを備える。
【００１４】
このナビゲーション方法においては、判定ステップにより、ユーザが所有するクーポンやポイントといった価格変動情報によって変動された価格に基づいて、ユーザに提示する店舗が判定されるため、店舗判定の際に、クーポンやポイントを考慮した適切な判定がおこなわれる。したがって、ユーザ所望の店舗をより適切に提示することができる。
【００１５】
また、価格変動情報を、ユーザの携帯通信端末から受け付ける入力ステップをさらに備える態様であってもよい。この場合、価格変動情報は、それが格納されたユーザの携帯通信端末から入力される。さらに、ユーザの携帯通信端末は、インターネットから価格変動情報を取得する態様であってもよい。
【００１６】
本発明に係るナビゲーションプログラムは、所定エリア内に存在する店舗をユーザに提示するナビゲーションプログラムであって、コンピュータを、店舗が提供する商品やサービスの価格を変動させるユーザ所有の価格変動情報によって変動された価格に基づいて、ユーザに提示する店舗を判定する判定手段として機能させるためのナビゲーションプログラムである。
【００１７】
このナビゲーションプログラムにおいては、コンピュータを、ユーザが所有するクーポンやポイントといった価格変動情報によって変動された価格に基づいて、ユーザに提示する店舗を判定する判定手段として機能させるため、店舗判定の際に、クーポンやポイントを考慮した適切な判定がおこなわれる。したがって、ユーザ所望の店舗をより適切に提示することができる。
【００１８】
また、コンピュータを、価格変動情報を、ユーザの携帯通信端末から受け付ける入力手段として機能させる態様であってもよい。この場合、価格変動情報は、それが格納されたユーザの携帯通信端末から入力される。さらに、ユーザの携帯通信端末は、インターネットから価格変動情報を取得する態様であってもよい。
【発明の効果】
【００１９】
本発明によれば、より適切に、ユーザ所望の店舗を提示することができるナビゲーション装置、ナビゲーション方法、ナビゲーションプログラム、携帯通信端末および情報センターサーバが提供される。
【図面の簡単な説明】
【００２０】
【図１】図１は、本発明の実施形態において、車載機とともに利用される携帯電話機の構成を示したブロック構成図である。
【図２】図２は、本発明の実施形態における車載機の構成を示したブロック構成図である。
【図３】図３は、本発明の実施形態において、車載機との間で通信をおこなう情報センターの構成を示したブロック構成図である。
【図４】図４は、情報センターでの情報収集を示したフロー図である。
【図５】図５は、情報センターからのアプリや情報の配信を示したフロー図である。
【図６】図６は、車載機の電源投入時などの初期設定時における処理を示したフロー図である。
【図７】図７は、車載機がユーザに対してガソリンスタンドの店舗情報を提供する手順を示したフロー図である。
【発明を実施するための形態】
【００２１】
以下、本発明を実施するための形態について、添付図面を参照しつつ詳細に説明する。なお、同一又は同等の要素については同一の符号を付し、説明が重複する場合にはその説明を省略する。
【００２２】
図１〜３はそれぞれ、本実施形態において利用される携帯電話機１（図１）、車載機２（図２）、情報センター３（図３）の構成を示したブロック構成図である。
【００２３】
図１に示すように、携帯電話機１は、情報提供部１００、情報追加更新部１０１、情報記憶部１０２および通信部１０３を備えている。
【００２４】
情報提供部１００は、処理装置による情報提供アプリの実行により、携帯電話機１が車載機２と通信接続されたときに、ユーザが利用するサービスに必要な情報を車載機２に提供する。情報追加更新部１０１は、新規サービスを実現するソフトあるいは情報を追加・更新する機能を備えている。情報記憶部１０２には、ユーザが所有する会員証、クレジットカード、クーポン券、割引券などの情報（以下、ガソリンスタンド携帯電話機情報と称す。）が格納される。このようなガソリンスタンド携帯電話機情報は、たとえばインターネットから取得（ダウンロード等）して携帯電話機１に格納することができる。通信部１０３は、ＵＳＢなどの有線接続あるいはＢｌｕｅｔｏｏｔｈなどの無線接続により、車載機２との間で通信をおこなう。
【００２５】
車載機２は、本発明におけるナビゲーション装置に相当し、ガソリンスタンド提供部２００、持込機器情報取得部２０１、ナビ部２０２、車両情報管理部２０３、情報追加更新部２０４、車外通信部２０５、車内通信部２０６、情報記憶部２０７およびＵＩ部２０８を備えている
【００２６】
ガソリンスタンド提供部２００は、処理装置によるガソリンスタンド提供アプリの実行により、ユーザにサービスを提供する。持込機器情報取得部２０１は、携帯電話機１などの車に持込可能な機器（持込機器）が車載機２に接続されると、ユーザが利用するサービスで必要となる情報を、当該持込機器から取得する。ナビ部２０２は、ユーザに地図、目的地までの経路検索、経路案内などを提供する。車載機２にはＧＰＳが搭載されていてもよい。
【００２７】
車両情報管理部２０３は、車内ＬＡＮに流れる車両情報を収集して管理するとともに、各種アプリが必要とする車両情報を当該アプリに提供する。情報追加更新部２０４は、新規サービスを実現するソフトあるいは情報を、車載機２に追加・更新する機能を備えている。車外通信部２０５は、ＵＳＢ等の有線、あるいは、Ｂｌｕｅｔｏｏｔｈ等の無線で持込機器と接続されて通信をおこなうとともに、後述の情報センター３と無線通信をおこなう機能を備える。車内通信部２０６は、ＵＳＢ等の有線、あるいは、Ｂｌｕｅｔｏｏｔｈ等の無線で持込機器と接続されて通信をおこなうとともに、情報センター３と無線通信をおこなう機能を備える。情報記憶部２０７は、携帯電話機１などの持込機器から取得した情報や情報センター３から取得した情報を格納する。ＵＩ部２０８は、ナビ部２０２などがユーザに提示する情報を画面に表示する。
【００２８】
このように、車載機２は、携帯電話機１と通信してユーザの個人情報を取得するとともに、情報センター３と通信して公の情報を取得する。これらの情報を用いたサービスを提供するアプリは、情報センター３から車載機２に配信される。
【００２９】
情報センター３は、ガソリンスタンド情報収集部３００、ガソリンスタンド情報提供部３０１、情報追加更新部３０３、ＧＰＳ座標変換部３０５、情報記憶部３０６および通信部３０７を備える。
【００３０】
ガソリンスタンド情報収集部３００は、インターネット上からガソリンスタンドに関する情報（店舗情報）を取得する。ガソリンスタンド情報提供部３０１は、インターネット上から取得したガソリンスタンドの店舗情報を車載機２に送信して提供する。情報追加更新部３０３は、新規サービスを実現するソフトあるいは情報を、携帯電話機１や車載機２に送信する。情報記憶部３０６は、ガソリンスタンド情報収集部３００がインターネット上から得た情報を格納する。通信部３０７は、携帯電話機１および車載機２との間で通信をおこなう。
【００３１】
ここで、上述の情報記憶部３０６には、会員証一覧表が格納されている。この会員証一覧表は、たとえばユーザにとって最適なガソリンスタンドの情報を提供するサービス提供者によって作成された表であり、ガソリンスタンドの名称と、その所属する給油会社の名称と、利用可能な会員証やクレジットカードと、それら会員証やクレジットカードの利用により適用される割引率とが、互いに関連づけられている。会員証一覧表は、必要に応じて、ガソリンスタンドが所属する給油会社の名称を省略してもよい。
【００３２】
このように、ガソリンスタンド情報を提供するサービスを実現するために、携帯電話機１へは情報提供アプリが配布され、車載機２へはガソリンスタンド提供アプリが配布される。
【００３３】
以下では、上述した携帯電話機１、車載機２および情報センター３を利用して、ユーザにガソリンスタンドの店舗情報を提供する手順について、図４〜７のフロー図を参照しつつ説明する。
【００３４】
図４は、情報センター３での情報収集を示したフロー図である。
【００３５】
（ステップＡ０１）情報センター３のガソリンスタンド情報収集部３００は、通信部３０７を介してインターネットに接続し、ガソリンスタンドの店舗情報を公開しているホームページを解析して、ガソリンスタンド名、その給油会社名、その住所およびガソリン単価情報を収集する。
【００３６】
（ステップＡ０２）ＧＰＳ座標変換部３０５は、ガソリンスタンド情報収集部３００によって取得されたガソリンスタンドの住所から、自車との相対位置を特定する。このとき、ＧＰＳ座標変換部３０５は、住所情報をＧＰＳ座標（緯度、経度）の情報に変換する。
【００３７】
（ステップＡ０３）ガソリンスタンド情報収集部３００は、ステップＡ０１、Ａ０２の処理で得られたガソリンスタンド名、給油会社名、ＧＰＳ座標情報、およびガソリン単価を互いに関連づけ、ガソリン単価一覧表として、情報記憶部３０６に格納する。もし、ガソリン単価一覧表に、すでに同一のＧＰＳ座標の情報が格納されている場合には、情報を更新する。ガソリン単価一覧表は、必要に応じて、ガソリンスタンドが所属する給油会社名を省略してもよい。
【００３８】
なお、ステップＡ０１〜Ａ０３は、ある一定間隔で繰り返し実施される。
【００３９】
図５は、情報センター３からのアプリや情報の配信を示したフロー図である。
【００４０】
（ステップＢ０１）情報センター３から車載機２にガソリンスタンド提供アプリが配布される際に、併せて、情報追加更新部３０３が会員証一覧表を車載機２に配布する。これは車載機２の情報追加更新部２０４によって受け付けられ、情報記憶部２０７に格納される。
【００４１】
（ステップＢ０２）情報センター３から車載機２にガソリンスタンド提供アプリが配布される際に、併せて、情報追加更新部３０３が、ガソリン残量しきい値を車載機２に配布する。このガソリン残量しきい値が、車載機２が、自車周辺のガソリンスタンド情報を提供するトリガとなる。ガソリン残量しきい値は、情報追加更新部２０４によって受け付けられ、車両情報管理部２０３に格納される。
【００４２】
（ステップＢ０３）携帯電話機１が車載機２に接続されたとき、車載機２の持込機器情報取得部２０１は、携帯電話機１に対して、上述したガソリンスタンド携帯電話機情報の有無を確認する。持込機器情報取得部２０１は、その確認結果を記憶しておく。
【００４３】
なお、上述のアプリ等の配信には、携帯電話機１と車載機２とをあらかじめペアリングさせて認証情報を登録しておき、アプリ取得時に、ペアリングされた一方の機器でアプリが取得されると他方の機器向けのアプリが自動的に取得させたり、アプリ使用の度に携帯電話機１と車載機２との間で認証する必要をなくしたりする技術を利用することもできる。
【００４４】
図６は、車載機２の電源投入時などの初期設定時における処理を示したフロー図である。
【００４５】
（ステップＣ０１）まず、ユーザが自身の携帯電話機１を、車載機２に接続する。この接続は、携帯電話機１の通信部１０３と車載機２の車外通信部２０５との間で確立され、ＵＳＢなどの有線接続でもＢｌｕｅｔｏｏｔｈなどの無線接続でもよい。車載機２の車外通信部２０５が携帯電話機１と接続されたことを検知すると、携帯電話機１に格納されているガソリンスタンド携帯電話機情報が車載機２に送られる。
【００４６】
（ステップＣ０２）車外通信部２０５によって携帯電話機１との接続が検知されると、持込機器情報取得部２０１は、携帯電話機１に対して、上述したガソリンスタンド携帯電話機情報を要求する。ガソリンスタンド携帯電話機情報の要求は、携帯電話機１の通信部１０３によって受信され、情報提供部１００に送られる。情報提供部１００は、情報提供アプリの実行により、情報記憶部１０２に格納されているガソリンスタンド携帯電話機情報を抽出して、通信部１０３を介して車載機２に送る。そのガソリンスタンド携帯電話機情報は、車載機２の車外通信部２０５を経由して、ガソリンスタンド携帯電話機情報の入力手段として機能する持込機器情報取得部２０１に送られる。このようにして、車載機２が、入力ステップとして、ユーザが所有する会員証、クレジットカード、クーポン券や割引券に関する情報を携帯電話機１から受け取る。
【００４７】
（ステップＣ０３）車載機２の持込機器情報取得部２０１は、携帯電話機１から受信したガソリンスタンド携帯電話機情報を、情報記憶部２０７に格納する。
【００４８】
図７は、車載機２がユーザに対してガソリンスタンドの店舗情報を提供する手順を示したフロー図である。
【００４９】
（ステップＤ０１）車両情報管理部２０３は、車内通信部２０６を経由して車載ＬＡＮに流れているガソリン残量の情報を取得し、現在のガソリン残量が、上記ステップＢ０２で受信したガソリン残量しきい値を下回っているかどうかを判断する。
【００５０】
（ステップＤ０２）車両情報管理部２０３が、ガソリン残量しきい値を下回るガソリン残量であると判断した場合には、情報追加更新部２０４を呼び出し、情報追加更新部２０４が、ガソリンスタンド提供部２００のガソリンスタンド提供アプリを起動する。
【００５１】
（ステップＤ０３）ガソリンスタンド提供アプリの実行によりガソリンスタンド提供部２００は、車両情報管理部２０３またはナビ部２０２から、ガソリンスタンドの位置を示すＧＰＳ情報を取得する。
【００５２】
（ステップＤ０４）ガソリンスタンド提供アプリの実行によりガソリンスタンド提供部２００は、車外通信部２０５から、自車位置を示すＧＰＳ情報を取得する。
【００５３】
（ステップＤ０５）情報センター３の通信部３０７で自車位置情報を取得し、ガソリンスタンド情報提供部３０１に送る。ガソリンスタンド情報提供部３０１は、自車位置情報に基づいて、所定の距離内に存在する自車周辺のガソリンスタンドを抽出する。このとき、情報記憶部３０６のガソリン単価一覧表にあるガソリンスタンドの場所を示すＧＰＳ座標情報と自車位置情報とを比較し、所定の距離内に存在するガソリンスタンドを抽出する。この抽出された情報は、ガソリンスタンド単価一覧のサブセットなる。
【００５４】
（ステップＤ０６）ガソリンスタンド単価一覧のサブセットは、情報センター３の通信部３０７を経由して、車載機２に送られる。
【００５５】
（ステップＤ０７）ガソリンスタンド単価一覧のサブセットは、車載機２の９車外通信部２０５によって受信されて、ガソリンスタンド提供部２００に送られる。ガソリンスタンド提供部２００は、ガソリンスタンド提供アプリを実行させて、ガソリンスタンド携帯電話機情報を情報記憶部２０７から抽出する。ガソリンスタンド携帯電話機情報のガソリンスタンド名が、ガソリンスタンド単価一覧のサブセットに存在するか検索する。もし存在すれば、ガソリンスタンド単価一覧のサブセットの情報に対し、そのガソリンスタンドのガソリン単価にガソリンスタンド携帯電話機情報に示される割引率を適用したときの単価も追加する。
【００５６】
このように、ステップＤ０７の判定ステップにおいて、携帯電話機１が有する情報である割引率を適用した単価で判定することにより、ユーザ毎に最も安い単価のガソリンスタンドを判定して、その店舗情報をユーザに提示可能となる。
【００５７】
（ステップＤ０８）割引率を適用したガソリンスタンド単価一覧のサブセットの情報を、ナビ部２０２に渡す。このとき渡す情報は、ガソリンスタンド名、ＧＰＳ座標情報、ガソリン単価（割引率適用後の単価）である。必要であれば、最も安いガソリン単価のガソリンスタンドにマークを付けておく。
【００５８】
（ステップＤ０９）ナビ部２０２は、地図画面上に、割引率適用後のガソリン単価を含むガソリンスタンドのアイコンを配置し、ＵＩ部２０８に表示する。単価が最も安いガソリンスタンドは目立つようにアイコンを大きくする、あるいは、他のアイコンとは異なる色で表示する。さらに、そのアイコンを選択すると、そのガソリンスタンドの詳細情報が表示される。また、場合によっては、単価が最も安いガソリンスタンドの経路案内を開始する。
【００５９】
以上で詳細に説明したとおり、車載機（ナビゲーション装置）２は、所定エリア内に存在するガソリンスタンド等の店舗をユーザに提示するナビゲーション装置であって、ガソリンスタンドのガソリン価格を変動させるユーザの携帯電話機１に格納されたガソリンスタンド携帯電話機情報によって変動された価格に基づいて、ユーザに提示するガソリンスタンドを判定するガソリンスタンド提供部（判定手段）２００を備える。
【００６０】
このような車載機２においては、ガソリンスタンド提供部２００が、ユーザが所有するガソリンスタンド携帯電話機情報、すなわち、クーポンやポイントの情報といった価格変動情報によって変動された価格に基づいて、ユーザに提示するガソリンスタンドを判定するため、その判定の際に、クーポンやポイントを考慮した適切な判定がおこなわれる。したがって、ユーザ所望のガソリンスタンドをより適切に提示することができる。
【００６１】
車載機２は、ガソリンスタンド携帯電話機情報（価格変動情報）は、ユーザの携帯電話機（携帯通信端末）１から受け付ける持込機器情報取得部（入力手段）２０１を備えている。そのため、ガソリンスタンド携帯電話機情報は、それが格納されたユーザの携帯電話機１から車載機２に入力される。
【００６２】
なお、本発明のナビゲーションプログラムをコンピュータを用いて実行させることによって実現される機能は、上述したガソリンスタンド提供部（判定手段）２００の機能と同様である。
【００６３】
なお、本発明は上記実施形態に限定されるものではなく、様々な変形が可能である。たとえば、上述した実施形態では個人の情報を携帯電話機１から取得したが、車載機２と通信可能なＰＤＡなど個人の情報を保持する端末であってもよい。また、ＥＴＣを利用する場合には、ＥＴＣ機器からクレジットカードの種別を取得してもよい。さらに、ガソリン残量のしきい値を下回ったときにガソリンスタンド情報提供アプリを起動するようにしたが、常時起動させていてもよい。なお、ステップＤ０２に示すように、ガソリン残量の確認と通知を、車両情報管理部２０３で実施したが、ガソリンスタンド情報提供アプリが常時起動で実施してもよい。この場合、ガソリンスタンド情報提供アプリがポーリングして、車両情報管理部２０３にセンサ情報を取得してもよく、プッシュで通知してもらってもよい。
【００６４】
モータで走行する電気自動車またはモータとガソリンエンジンで走行する車の場合には、ガソリン残量のしきい値の代わりに、車載ＬＡＮに流れるバッテリ残量のしきい値を用い、そのしきい値を下回ったときに給電スタンドに案内する。
【００６５】
上述した実施形態では、ガソリン単価が最も安くなるガソリンスタンドの情報を提供したが、その他の態様として、最も安くなるのではなく、給油時に、会員証あるいはクレジットカードにポイントが貯まるガソリンスタンドの情報および案内をするようにしてもよい。
【００６６】
上述した実施形態の構成で、サービスを提供するアプリは情報センター３から配布されることを想定しており、センサ情報および携帯電話機内の情報、さらに、情報センター３が保持する情報を利用した他のサービスに適用可能である。つまり、考案されたサービス毎にアプリを開発し、そのアプリを配布することにより実現可能となる。この場合、携帯電話機１からサービスに必要な別の情報を取得しなければならない場合がある。これを実現するために、ステップＢ０３で携帯電話機１と接続直後に取得すべき情報を要求するように依頼しておく。また、車両情報管理部２０３に対しても必要となるセンサ情報の通知タイミングを登録しておくこともできる。
【００６７】
また、その他の実施形態として、情報センター３の機能全て（３００〜３０７）を携帯電話機用のアプリとして作成し、携帯電話機１に配置する。つまり、情報センター３を取りやめて、携帯電話機１および車載機２の構成でサービスを提供する。このようにすることで、情報センター３や同様の機能を有するサーバの設置が不要となる。
【００６８】
さらに、他の実施形態として、車載ＬＡＮに流れるガソリン残量の情報を所得し、携帯電話機などの携帯通信端末に渡す機能のみを持つ車載機としてもよい。この場合、携帯通信端末に経路案内などのナビゲーション機能を持たせる。つまり、携帯通信端末自体がナビゲーション装置となる。
【００６９】
このように、公の情報となるガソリンスタンド等の価格情報はセンターで収集し、鮮度の高い情報を維持する。一方、個人に紐付く情報となる情報は、ユーザが常に持ち歩く携帯電話機に保存する。会員証や割引券・クーポン券等の情報は、この携帯電話機から収集する。そして、車載機が情報センターおよび携帯電話機と通信して、公の情報と個人に紐付く情報からユーザに最適で最も安いガソリンスタンドを抽出する。
【符号の説明】
【００７０】
１…携帯電話機、２…車載機、３…情報センター、２００…ガソリンスタンド提供部、２０１…持込機器情報取得部。
【図１】
0005560050.tif 000002
【図２】
0005560050.tif 000003
【図３】
0005560050.tif 000004
【図４】
0005560050.tif 000005
【図５】
0005560050.tif 000006
【図６】
0005560050.tif 000007
【図７】
0005560050.tif 000008